(57)【特許請求の範囲】
【請求項１】
放送あるいはデータとして現在供給されている番組（タイトル）を、その番組を単位として記録する記録部と、
前記記録部により記録される番組を、画質重視およびまたは音質重視に分類可能な特徴と本編と本編以外に分類可能な内容情報とに基づいて、番組全体の画質および音質を一定品質以上に維持しながら前記記録部の記録容量を確保可能に、指定された条件に従って任意数のチャプタに区切るチャプタ設定部と、
前記記録部が保持する番組を、チャプタ毎に画質および音質を任意に設定して再び保存するデータ処理部と、
前記チャプタ設定部および前記データ処理部と前記記録部との間のデータの転送を制御する制御部と、
を有することを特徴とする記録再生装置。
【請求項２】
前記チャプタ設定部により所定数に区切られた前記番組のそれぞれのチャプタにおいては、チャプタ毎に、画質重視およびまたは音質重視に分類可能な特徴と本編と本編以外に分類可能な内容情報とに従って、データ圧縮率を独立に設定可能であることを特徴とする請求項１記載の記録再生装置。
【発明の詳細な説明】
【技術分野】
【０００１】
この発明は、情報の記録および再生が可能な記録再生装置に係り、情報供給元から提供される映像および音声等の情報をできるだけ多く保存可能に、既に記録されている情報のビットレートを画質や音質を維持可能な範囲で変更して記録する記録再生装置に関する。
【背景技術】
【０００２】
記録容量の大きな記録装置であるハードディスク（ＨＤＤ）等が組み込まれた記録再生装置（以下、ハードディスク付レコーダと呼称する）が広く普及している。
【０００３】
ハードディスクレコーダは、従来のＶＴＲ（Video Tape Recorder）とデジタル信号を圧縮して記録する点で異なり、単一の装置において１０００時間にも及ぶ情報の記録も可能である。
【０００４】
反面、多くの情報を記録しようとする場合、例えば一連のシリーズ番組を記録する場合において、次回予告やその番組に登場する出演者に関連する情報等の、本編とは一線を画する情報については、必ずしも本編と同一のビットレートで記録する必要はなく、少しでも記録容量を確保することが求められている。
【０００５】
なお、番組毎に録画品質を設定できる記録再生装置、が既に提案されている（例えば、特許文献１）。
【特許文献１】特開２００２−４４６０４号
【発明の開示】
【発明が解決しようとする課題】
【０００６】
しかしながら、特許文献１には、供給元から提供される電子番組表の情報に基づいて、圧縮ビットレートを設定することは示されているが、記録容量を確保するために、１つの番組内で異なるビットレートを用いることや、１つの番組内で、特定のデータの記録品質を重視することは示されていない。
【０００７】
この発明の目的は、記録容量を確保するために、１つの記録対象情報においても、その番組内で記録すべき情報の特徴や内容に従う異なるビットレートにより、あるいは特定のデータの品質を重視して、情報を記録可能な記録再生装置を提供することである。
【課題を解決するための手段】
【０００８】
この発明は、上記問題点に基づきなされたもので、放送あるいはデータとして現在供給されている番組（タイトル）を、その番組を単位として記録する記録部と、前記記録部により記録される番組を、画質重視およびまたは音質重視に分類可能な特徴と本編と本編以外に分類可能な内容情報とに基づいて、番組全体の画質および音質を一定品質以上に維持しながら前記記録部の記録容量を確保可能に、指定された条件に従って任意数のチャプタに区切るチャプタ設定部と、前記記録部が保持する番組を、チャプタ毎に画質および音質を任意に設定して再び保存するデータ処理部と、前記チャプタ設定部および前記データ処理部と前記記録部との間のデータの転送を制御する制御部と、を有することを特徴とする記録再生装置、を提供するものである。
【発明の効果】
【０００９】
この発明の記録再生装置においては、記録媒体に記録可能な情報の番組（タイトル）数が増大でき、例えば自動録画機能により録画される任意数の番組が録画されたことにより、ユーザが任意に番組を録画しようとする際に、記録容量が不足してユーザが好む番組を録画し損なうことが防止できる。
【発明を実施するための最良の形態】
【００１０】
以下、図面を参照して、この発明の実施の形態について詳細に説明する。
【００１１】
図１に、本発明の実施の形態が適用可能な記録再生装置の構成の一例を示す。
【００１２】
記録再生装置１は、後段に、それぞれを詳細に説明するが、記録／再生部１０、データ処理部２０、映像入力部３０、映像出力部４０、録画制御部６０、表示制御部７０および主制御部５０等を含む。
【００１３】
記録／再生部１０は、例えばハードディスク記録装置を有し、公衆向けに、テレビ放送として放送局から送信される映像（番組）を１００時間程度記録可能な容量が与えられたハードディスクドライブ部（以下、ＨＤＤと示す）１２、ＨＤＤ１２と同様の規格で圧縮されたデータ（番組）が記録可能で、外部へのデータ（番組）の持ち出しと、外部からの持ち込みを可能とする記録媒体、例えば光ディスクへのデータの記録と再生に利用される光ディスクドライブ部１３、およびＨＤＤ１２および／または光ディスクドライブ部１３と、以下に詳述するデータ処理部２０との間で、圧縮されたデータ（映像信号＝番組）の転送に利用されるデータ転送制御部１１を含む。
【００１４】
記録／再生部１０においては、データ処理部２０において圧縮されたデジタル信号が、例えばユーザによる指示に応じ、データ転送制御部１１を経由して、ＨＤＤ１２内の所定の記録領域または光ディスクドライブ部１３にセットされた光ディスクＤに記録される。もちろん、再生要求があった場合、要求に応じて再生されたデータがデータ処理部２０に出力される。
【００１５】
データ処理部２０は、データ編集部２１、エンコーダ２２、デコーダ２３、および音声映像処理部２４等を含み、後段に説明する映像入力部３０から供給されるデータ（番組）を所定形成に圧縮したのち記録／再生部１０に転送するとともに、再生要求に従って記録／再生部１０から出力されたデータを復号して、後段の映像出力部４０に出力する。
【００１６】
データ編集部２１においては、圧縮されたデータを記録／再生部１０に転送する際に、記録するための区分、例えば任意数のフォルダ（ディレクトリ）のうちの特定されたフォルダに対して、記録対象の番組（データ）を記録が指示されるとともに、その番組に「番組名」や「映画」・「音楽」等の「ジャンル識別名」、「アーティスト（出演者）名」等の『データ特定項目』が付加可能である。もちろん、既に付加された『データ特定項目』は、編集もしくは消去可能である。なお、データ編集部２１においては、本件出願の実施の形態との関連が少ないため詳細な説明を省略するが、例えば既に録画されている番組の一部の削除や全部の削除、任意に選択された番組（データ）の複数のチャプタ（小区分）への分割や、その分割されたチャプタ（小区分）の再生順の設定等も、可能である。
【００１７】
エンコーダ２２は、周知の圧縮器であり、映像入力部３０を経由して供給されるデータ（番組）は、予め指定された圧縮方法（規格）および圧縮率で（エンコーダ２２により）圧縮される。なお、エンコーダ２２には、周知の多重化部が組み込まれてもよい、ことはいうまでもない。
【００１８】
デコーダ２３は、周知の復号器（伸長器）であり、エンコーダ２２による圧縮方法（規格）に対応する復号方法（規格）で、記録／再生部１０から供給されるデータ（番組）を復号（伸長）して、後段の映像出力部４０に向けて出力する。また、デコーダ２３には、周知の分離部が組み込まれてもよいことはいうまでもない。
【００１９】
音声映像処理部２４においては、デコーダ２３において復号された映像データと（通常は、映像信号と独立に復号される）音声データとが、合成される（出力タイミングが整合される）。なお、映像出力部４０に向けて出力されるデータには、音声映像処理部２４により、必要に応じて、ＯＳＤ表示（ＯＳＤ５４により生成される操作用画面表示）が合成される。
【００２０】
映像入力部３０は、例えば外部からの映像信号／入力信号の入力を受け入れる外部入力部３１、例えば放送衛星（ＢＳ）もしくは通信衛星（ＣＳ）を通じて提供される番組（データ）を受け入れるためのＢＳ／ＣＳチューナ部３２、例えば放送局からの公衆向け放送を受け入れるための地上波チューナ部３３、およびネットワーク網を経由して配信元から供給される（視聴可能な）データ（番組）受け入れるネットワークコントローラ３４等を有する。なお、ネットワークコントローラ３４は、例えば公衆通信網（電話回線）と接続可能であり、通信網を介して、外部との間で任意に、データの授受が可能である。
【００２１】
外部入力部３１、ＢＳ／ＣＳチューナ部３２、地上波チューナ部３３、ならびにネットワークコントローラ３４等は、セレクタ部３５と接続され、先に説明したエンコーダ２２（データ処理部２０）に供給されるデータ（番組）は、エンコーダ２２が同時に処理可能なタイトル（番組）数または容量もしくは転送レート等に基づいて、（セレクタ部３５により）規定される。
【００２２】
映像出力部４０は、音声映像処理部２４（データ処理部２０）から出力された復号済み信号（再生映像および音声）を、セレクタ４１を経由して、外部出力部４２、Ｉ／Ｆ（インタフェース４３、広く一般に普及しているテレビ（モニタ）Ｍに出力する映像／音声出力端４４等を含む。なお、ｌ／Ｆ４３の出力は、例えばパーソナルコンピュータ（ＰＣ）や、家庭内あるいは企業内等において普及している小規模ネットワークや、ＩＥＥＥ１３９４等に代表される特定のプロトコルに従うデータ転送システムとして利用可能である。
【００２３】
主制御部５０は、上述した記録／再生部１０、データ処理部２０、映像入力部３０および映像出力部４０のそれぞれに加え、以下に説明する録画制御部６０と表示制御部７０とチャプタ境界設定処理部８０と、を含む記録再生装置１の動作を制御するもので、個々の要素間における制御信号の伝送に利用される制御バス５１、主制御装置であるＭＰＵ（Main Processing Unit）５２、ワーク（キャッシュ）メモリ（ＲＡＭ）５３、ＯＳＤ（On Screen Display）ユニット５４、ならびにＭＰＵ５２のファームウエアとして（もしくは図示しないが、独立して）設けられ、記録再生装置１を動作させるためのイニシャルプログラムや、個々の制御コマンドに対応する動作や信号処理の方法、通信のための手続き等が記録されているＲＯＭを含む。また、主制御部５０およびデータ編集２１（データ処理部２０）においては、図３ないし図８を用いて後段に説明するが、例えば一連のシリーズ番組を記録する場合において、次回予告やその番組に登場する関連する情報等の本編とは一線を画する情報については、その圧縮ビットレートを、ユーザが予め指定した区分に従って、任意に設定可能である。
【００２４】
録画制御部６０は、例えば録画情報制御部６１、番組表生成部６２および録画予約制御部６３等を含む。
【００２５】
録画情報制御部６１では、例えばネットワーク網を通じて接続された外部のサーバ（情報供給元）１０１（後述）や映像配信先（ネットワーク網によりアクセス可能な映像提供機関（情報供給元１０１とは独立している場合もある）等により提供される電子番組案内情報（Dynamic Electronic Program Guide，以下、ＤＥＰＧと呼称する、また、単にＥＰＧと呼称する場合もある）に基づいて、ユーザによる録画予約の設定（入力／解除（消去））および予約情報の変更等が可能である。
【００２６】
番組表生成部６２においては、サーバ１０１からネットワークまたは通信回線により、あるいは放送波に重畳されているＥＰＧ表示のための信号から取得したＥＰＧおよび録画情報制御部６１により規定される［予約番組リスト］や、ＥＰＧに対応する表示すなわち番組表を、映像出力部４０に接続されるモニタ装置（テレビ）の画面として表示可能に、画面表示がデザイン（生成）される。
【００２７】
録画予約制御部６３においては、例えば、録画すべき番組（データ）名やその供給元、ならびに日時等の録画条件が保持されるとともに、実際の録画のために時刻（日時）情報が管理される。なお、録画予約制御部６３は、以下に説明する表示制御部７０と共用可能なタイマ（時計）コントローラ（タイママイコン）が含まれてもよい。
【００２８】
表示制御部７０は、例えば記録再生装置１の詳述しない表示パネルに設けられる時計部への時刻および年月日の表示や、装置の動作状態、録画予約の有無、録画時の録画モード等が表示される表示部７２と、表示パネル（もしくは装置１の所定の位置）に設けられる操作部７３、および表示部７２への表示ならびに操作部７３を経由してユーザにより入力される制御コマンドあるいは入力情報を授受するための、パネル制御部７１等を含む。
【００２９】
チャプタ境界設定処理部８０は、図３ないし図８を用いて後段に詳述するが、映像構造化処理部８０ｐ（マジックチャプタ分割機能と称される）と、任意区間検出処理部８０ｑ（本編自動チャプタ分割機能と称される）とを含む。
【００３０】
なお、例えばリモコン端末Ｒにより入力される制御コマンドおよび入力情報は、図１に示す本件の記録再生装置１においては、部７３または表示部７２の所定の位置に設けられる（図示しない）リモコン信号受信部において受け入れられ、パネル制御部７１を通じて主制御部５０に入力される。もちろん、リモコン（端末）Ｒからの信号（コマンド）は、図示しないが専用の受信部を経由してそのまま主制御部５０に供給されてもよいことはいうまでもない。
【００３１】
リモコン端末Ｒは、記録再生装置１による映像の録画に際して、録画先、例えばＨＤＤ１２または光ディスクＤ（光ディスクドライブ部１９）の特定、既に記録されている映像（番組）やそのタイトルまたは『データ特定項目』の編集、映像供給元の切り替えおよび予約録画の設定等に代表される各種、制御コマンドならびに入力すべき情報の入力に利用される。
【００３２】
ネットワークコントローラ３４を経由して接続可能なネットワーク網、例えば広く利用されているインターネットを介して接続されるサーバ（情報供給元）１０１には、例えば番組情報登録部１１１、番組情報格納部１１２、および通信部（通信制御部）１１３等が用意されている。なお、サーバ１０１には、例えば直接（専用線）またはインターネットを通じて、映像供給元である放送局Ｔ等が情報を提供可能に接続されている。もちろん、ＥＰＧ向けの情報としては、放送波そのものに重畳されている信号も利用可能である。
【００３３】
図２は、図１に示した記録再生装置において、供給元から提供される番組を記録する際のチャプタ情報とそのレートおよび音質（ユーザにより設定可能）について説明する概略図である。
【００３４】
なお、以下に説明する処理は、例えば主制御部５０およびデータ編集２１（データ処理部２０）において実行されるとともに、実行時すなわちユーザによる入力設定時には、ＯＳＤ５４により、受像機Ｍあるいは外部出力部４１に表示可能に出力される。また、ユーザによる入力は、例えばリモコン端末Ｒにより、入力される。
【００３５】
例えば、チャプタの特徴としては、「音質重視」と「画質重視」とに分類される（特徴づけられる）。また、チャプタの内容情報としては、例えば「本編」と「本編以外」とに分類できる。なお、本編以外の内容情報としては、例えば次回予告やその番組に登場する出演者に関連する情報等の、本編とは一線を画する情報であり、一例としては、スポンサのメッセージであるコマーシャル（ＣＭ）や、主題歌または挿入歌もしくは原作が本等で存在する場合のプレゼント情報等をあげることができる。もちろん、例えば音楽番組等においては、音楽部とそれ以外の出演者の音声もしくは説明（ナレーション）等の周波数帯域により区分可能な情報であってもよい。
【００３６】
なお、図２に示す例では、特徴としては、「画質重視」において、ビットレートが標準（４．６＝ＳＰ）、高画質（９．２＝マニュアル・・・この例ではＳＰに対してより高いビットレートを設定する、という意味である）あるいは長時間（２．２＝ＬＰ）等に区分されている。また、「音質重視」においては、標準（Ｄ／Ｍ１，ＭＥＰＧ１）、高品質（Ｌ−ＰＣＭ＝リニアＰＣＭ）等に区分されている。
【００３７】
一方、図２に示す例では、内容情報としては、上述した「本編」と「本編以外」に区分され、「本編以外」においては、ビットレートとして、例えば長時間（２．２＝ＬＰ）が設定される。
【００３８】
また、図２に示した「特徴」と「内容情報」は、例えばリモコン端末Ｒにより、ユーザから「設定」が選択されることで、ＯＳＤ５４により、受像機Ｍあるいは外部出力部４１に表示可能に出力される（図２は、受像機Ｍに示される表示画面の例も兼ねる）。
【００３９】
すなわち、ユーザによるリモコン端末Ｒの操作により、図示しないが、例えば『画質／音質』キー／ボタン、あるいは機能割付け機能等により「チャプタ毎の品質の設定のコマンド」が割り当てられている任意のキー／ボタンがオンされることで、詳述しないが「メニュー画面（表示）」等から『チャプタ毎の品質の設定』が選択されることで、図２に示した画面が表示可能となる。
【００４０】
図３ないし図８は、「本編以外」の内容情報であって、例えば「ＣＭ」を検出するプロセスを説明している。
【００４１】
図１に示したチャプタ境界設定処理部８０は、既に説明したが、映像構造化処理部８０ｐにより取得された、第１の区切り情報（チャプタ分割点）と、任意区間検出処理部８０ｑにより取得された、第２の区切り情報（任意区間情報又は音声区間情報又はＣＭ区間情報）に基づいて、「ＣＭ」が含まれていることを検出する。なお、映像構造化処理部８０においては、第２の区切り情報で設定された任意区間内に、第１の区切り情報が存在する場合には、この第１の区切り情報を非採用とする。
【００４２】
任意区間検出処理部８０ｑは、図３に示すように無音検出装置８１を含む。
【００４３】
無音検出装置８１は、所定時間音声レベルが閾値以下の部分を無音部として検出する。
【００４４】
無音検出装置８１は、無音情報を出力し、無音時刻記録装置８２に供給する。
【００４５】
無音部時刻記録装置８２は、番組における無音部が判定された時刻の情報である無音時刻情報を保持する。
【００４６】
無音時刻記録装置８２に記録された無音時刻情報は、無音部間隔計算装置８３にて処理される。
【００４７】
無音部間隔計算装置８３は、さらにブロック化すると無音部と次の無音部との時間間隔が一定時間（Ａ）の倍数であるかどうかを判定する無音部時間間隔計測部８３ａと、時間間隔が一定時間（Ａ）の倍数であれば、無音部の検出をカウントする無音部カウント処理部８３ｂと、無音部のカウント数が閾値（Ｂ）個以上あれば、最初と最後に現れた無音部に対して、区切り情報を設定する無音部の条件判定部８３ｃとを含む。
【００４８】
図４は、図１および図３に説明したチャプタ境界設定処理部８０の動作を説明するために、主要部を抜き出したものである。
【００４９】
図４に示されるように、セレクタ部３５を通じて供給される映像信号と音声信号は、映像構造化処理部８０ｐ、任意区間検出処理部８０ｑに入力される。それぞれに入力された映像信号および音声信号は、第１の区切り情報（構造化情報と称される）と、第２の区切り情報（任意区間情報と称される）は、チャプタ境界設定処理部８０ｒに入力される。
【００５０】
チャプタ境界設定部８０ｒは、第１と第２の区切り情報を重ねた第３の区切り情報を得る。但し、所定の条件に当てはまるチャプタ分割点は、不採用とし、採用されたチャプタ分割点を記録装置１３の管理情報に挿入する。
【００５１】
図５は、チャプタ境界設定処理部８０の動作をさらに詳細に説明している。
【００５２】
任意の番組の時間方向（時刻の一連の変化、通常は積算）に対して、映像構造化処理部８０ｐにより、ｃ１、ｃ２、…、ｃ５のように、チャプタ分割点（第１の区切り情報）が検出されたとする。
【００５３】
一方、同じ番組の時間方向に対して、任意区間検出処理部８０ｑは、第２の区切り情報ｍ１、ｍ２、ｍ３、ｍ４を検出し、任意区間をｍ１とｍ２の間、とｍ３とｍ４の間に設定しているものとする。
【００５４】
すると、任意区間（ｍ１−ｍ２）に、映像構造化処理部８０ｐにより検出された区切り情報ｃ３が存在する。このような場合、区切り情報ｃ３を否採用とする。
【００５５】
これにより、チャプタ分割点が、任意区間内（例えばステレオを音声が連続するような区間）に付加されることがない。任意の区間とは、例えば音声モードが変化せず連続している区間、あるいは、ステレオモードが連続している区間などである。さらには、所定帯域内の音声周波数が連続しているような区間である。
【００５６】
図６は、さらにこの発明の別の実施の形態である。図５の例と異なる部分は、任意区間検出処理部８０ｑがＣＭ区間検出用として用いられたときの例である。
【００５７】
例えば、ｍ１−ｍ２の区間と、ｍ３−ｍ４の区間がＣＭ区間として検出されたものとする。このＣＭ区間（ｍ１−ｍ２）に、映像構造化処理部８０ｐにより検出された区切り情報ｃ３が存在するものとする。このような場合、区切り情報ｃ３を否採用とする。これにより、ＣＭ区間内にチャプタ分割点が設定されることがない。
【００５８】
図７は、さらにこの発明の別の実施の形態である。図５および図６に示した例と異なる部分は、第１の区切り情報を一旦保存する保存装置８０ｒ１と、第２の区切り情報を一旦保存する保存装置８０ｒ２を用いる点である。
【００５９】
チャプタ境界設定処理部８０ｒは、保存装置８０ｒ１と、８０ｒ２からの第１の区切り情報（例えばチャプタ分割点となる転換点情報）と、第２の区切り情報（例えばＣＭ区間情報）を用いて、チャプタ分割点を生成している。この場合もＣＭ区間（ｍ１−ｍ２）に存在する区切り情報ｃ３は、否採用とする。
【００６０】
このように、保存装置８０ｒ１、８０ｒ２を有した場合、映像情報が記録媒体から再生されたときにチャプタ分割点を設定できる。
【００６１】
図８は、この発明の装置のさらに他の実施の形態を示している。
【００６２】
例えば、ｍ１−ｍ２の区間と、ｍ３−ｍ４の区間が音楽区間として検出された場合、音楽区間（ｍ１−ｍ２）に、映像構造化処理部８０ｐにより検出された区切り情報ｃ３が存在するならば、区切り情報ｃ３を否採用とする。これにより、音楽区間内にチャプタ分割点が設定されることがない。
【００６３】
次に、一度記録した情報のデータサイズすなわち記録容量を、ダビングにより低減する方法の一例を説明する。
【００６４】
図９は、図２に一例を示したような、チャプタの特徴である「音質重視」および「画質重視」、あるいはチャプタの内容情報である「本編」と「本編以外」とに基づいて、チャプタ毎に、最適な録画（音声を含む）品質を設定するための流れの一例を示す。なお、チャプタは、図３ないし図８により、予め設定されているものとする。また、図２に示したチャプタの特徴とチャプタの内容情報とに基づいて、予め個々のチャプタの「品質」が背定されているものとする。
【００６５】
図９に示されるように、第１に、着目するチャプタを１つ進める（Ｓ１）。
【００６６】
次に、そのチャプタの特徴を取得する（Ｓ２）。
【００６７】
ステップＳ２で取得されたチャプタの特徴に応じた要求品質（図２参照）が定義されていれば、取得する（Ｓ３）。
【００６８】
続いて、そのチャプタの内容情報を取得する（Ｓ４）。
【００６９】
ステップＳ４で取得されたチャプタの内容情報に応じた要求品質（図２参照）が定義されていれば、取得する（Ｓ５）。
【００７０】
次に、ステップＳ３（特徴）およびステップＳ５（内容情報）により取得された要求品質のうち、最も高い（上位となる）要求品質をそのチャプタに好適な録画品質とする。なお、録画品質は、画質および音質のそれぞれの最大値である（Ｓ６）。
【００７１】
総てのチャプタについて、順に、画質と音質を設定する（Ｓ７）。
【００７２】
ステップＳ７で総てのチャプタについて、画質と音質の設定が終了した場合（Ｓ７−Ｙｅｓ）、ＯＳＤ５４により生成された画像信号が、受像機Ｍまたは外部出力部４１に表示可能に出力される（Ｓ８）。
【００７３】
以下、詳述しないが、ユーザによるリモコン端末Ｒの操作によりステップＳ８でユーザに可視可能に出力された情報に従って、ユーザから、例えば「ＯＫ」あるいは「設定」等の所定のコマンドが指示された時点で、ステップＳ７で設定した総てのチャプタについて画質と音質の設定（変更）される（Ｓ９）。
【００７４】
ステップＳ９において変更された画面表示に対し、ユーザによる「ＯＫ」あるいは「終了」等の所定のコマンドが指示された時点で（Ｓ１０−Ｙｅｓ）、設定が終了する。
【００７５】
なお、図１に説明した記録再生装置１の主制御部５０、データ処理部２０（デコーダ２３、エンコーダ２２、データ編集部２１）を用い、記録媒体すなわち光ディスクドライブ部１３にセットされた光ディスクＤあるいはハードディスクドライブ（ＨＤＤ）部１２の図示しないハードディスクからデータ転送制御部１１を経由して指定されたタイトルまたはプログラムであって既に記録されている番組、すなわち圧縮されている映像信号および音声信号を読み出し、デコータ２３によるデコードとエンコーダ２２によるエンコードを繰り返すことで、記録容量を確保するために１つの番組内で異なるビットレートを用いることや、１つの番組内で特定のデータを重視するチャプタ毎に好適な録画品質を設定した録画が可能である。
【００７６】
このように、この発明の記録再生装置、特に映像および音声を記録する映像記録装置においては、記録容量を確保するために、１つの番組内で異なるビットレートを用いることや、１つの番組内で特定のデータの品質を重視して、チャプタ毎に好適な録画品質を設定した録画が可能である。
【００７７】
これにより、記録媒体に記録可能な情報の番組（タイトル）数が増大でき、例えば自動録画機能により録画される任意数の番組が録画されたことにより、ユーザが任意に番組を録画しようとする際に、記録容量が不足してユーザが好む番組を録画し損なうことが防止される。
【００７８】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００７９】
【図１】この発明の実施の形態が適用可能な記録再生装置の構成の一例を示す概略図。
【図２】図１に示した記録再生装置において、供給元から提供される番組を記録する際のチャプタ毎にユーザにより設定可能なビットレートおよび音質について説明する概略図。
【図３】図１に示した記録再生装置に組み込まれるチャプタ境界設定処理部の実施形態の一例を示す概略図。
【図４】図３に示したチャプタ境界設定処理部による（１つの番組の）区分の方法の一例を説明する概略図。
【図５】図３に示したチャプタ境界設定処理部による（１つの番組の）区分の方法の別の一例を説明する概略図。
【図６】図３に示したチャプタ境界設定処理部による（１つの番組の）区分の方法のさらに別の一例を説明する概略図。
【図７】図３に示したチャプタ境界設定処理部による（１つの番組の）区分の方法のまたさらに別の一例を説明する概略図。
【図８】図３に示したチャプタ境界設定処理部による（１つの番組の）区分の方法のまたさらに別の一例を説明する概略図。
【図９】図２に示したチャプタ毎のユーザにるビットレートおよび音質の品質の設定手順を説明するフローチャート。
【符号の説明】
【００８０】
１…記録再生装置、１０…記録／再生部、２０…データ処理部、２４…音声映像処理部、３０…映像入力部、４０…映像出力部、４４…映像／音声出力端、５０…主制御部、５２…ＭＰＵ、５４…ＯＳＤ、６０…録画制御部、６１…録画情報制御部、６２…番組表生成部、６３…録画予約制御部、７０…表示制御部、７３…操作部、８０…チャプタ境界設定処理部、８０ｐ…映像構造化処理部、８０ｑ…任意区間検出処理部。
【図１】
0004481911.tif 000002
【図２】
0004481911.tif 000003
【図３】
0004481911.tif 000004
【図４】
0004481911.tif 000005
【図５】
0004481911.tif 000006
【図６】
0004481911.tif 000007
【図７】
0004481911.tif 000008
【図８】
0004481911.tif 000009
【図９】
0004481911.tif 000010